(57)【要約】【課題】  家電器具の使用中に扉を閉じた際における安全性を確保しながら、家電器具の電子部品の劣化や損傷を回避する。【解決手段】  家電器具１を収納する収納部２と、該収納部２を開閉する扉３と、家電器具１に電力を供給する給電部４と、家電器具１への通電を開閉する通電開閉手段５を備えている。通電開閉手段５による家電器具１への通電の開閉が、扉３を閉じた時、家電器具１への通電を維持するか、若しくは扉３を閉じた時点から遅延させて家電器具１への通電遮断をおこなう。【選択図】        図１
2010075425.tif 000002
【特許請求の範囲】
【請求項１】
家電器具を収納する収納部と、該収納部を開閉する扉と、家電器具に電力を供給する給電部と、家電器具への通電を開閉する通電開閉手段を備え、扉を閉じた時、家電器具への通電を維持するか、若しくは扉を閉じた時点から遅延させて家電器具への通電遮断をおこなうことを特徴とする家電器具収納庫。
【請求項２】
扉を閉成した状態で、収納部内の空気が外部と連通する通気構造を備えていることを特徴とする家電器具収納庫。
【請求項３】
家電器具の運転状態を検出するか、若しくは収納部内の温度を検出するか、もしくは前記両方を検出判断する使用状態検出手段を設け、該使用状態検出手段による検出結果に基づいて、前述の遅延して行われる家電器具への通電遮断のタイミングが決められることを特徴とする請求項１又は請求項２記載の家電器具収納庫。
【請求項４】
使用状態検出手段が家電器具の運転電流を検出するものであることを特徴とする請求項３記載の家電器具収納庫。
【請求項５】
使用状態検出手段が収納部内の雰囲気温度若しくは家電器具の温度を検出するものであることを特徴とする請求項３記載の家電器具収納庫。
【請求項６】
家電器具の運転状態と相関した電流値が、高低微もしくは高低零あるいは高零であることを判別し、高以外の運転状態である場合に、扉を閉成した際に、前記の運転状態を継続させるように前記遅延時間が決定されることを特徴とする請求項１乃至請求項５のいずれか一項に記載の家電器具収納庫。
【請求項７】
収納部の排気をするための排気ファンを設け、扉を閉じた時点における収納部内の温度が所定温度を超えている際に、収納部内の温度が所定温度になるまで排気ファンを運転することを特徴とする請求項１乃至請求項６のいずれか一項に記載の家電器具収納庫。
【請求項８】
扉を閉成後、家電器具への通電遮断をした時点で、通電遮断を報知することを特徴とする請求項１乃至請求項７のいずれかに記載の家電器具収納庫。
【請求項９】
扉を閉成後に給電部の通電を遮断した場合に、再び扉を開けた時点で、通電遮断状態を報知することを特徴とする請求項１乃至請求項７のいずれかに記載の家電器具収納庫。
【発明の詳細な説明】
【技術分野】
【０００１】
本発明は、電子レンジやオーブントースター等の家電器具を収納する家電器具収納庫に関するものである。
【背景技術】
【０００２】
従来から、電子レンジやオーブントースター等の発熱機能を備えた家電器具を収納する家電器具収納庫が特許文献１により知られている。
【０００３】
この特許文献１に示された家電器具収納庫は、家電器具を収納する収納部と、該収納部に設けた家電器具を出し入れする開口部と、開口部を閉塞する開閉自在な扉を設けてあり、家電器具の使用時には扉を開けて使用し、家電器具の非使用時には扉を閉じて家電器具を隠蔽するようになっている。
【０００４】
上記家電器具収納庫には、家電器具に通電する給電部と、扉を閉じた際に家電器具への通電を遮断する通電開閉手段を備えてあり、家電器具の使用時に扉を閉じると通電開閉手段により家電器具の通電を遮断するようになっている。
【０００５】
しかしながら、従来例にあっては、扉を閉じると同時に家電器具の通電を遮断するものであり、このため、以下のような問題点がある。
【０００６】
例えば、家電器具の運転状態が加熱運転中（例えば使用電力が１０００Ｗで加熱運転中）に、扉を閉じると同時に家電器具への通電を遮断した場合、扉を閉じた直後に扉を再び開くと、短時間で大電流の入り切りが行われ、突入電流が生じたり、家電器具や家電器具収納庫の通電開閉手段の回路開閉手段においてハンチングが生じ、家電器具や家電器具収納庫の通電開閉手段の電気回路部品へのダメージが大きく、耐久性に劣るものとなる。
【０００７】
また、家電器具の運転状態が加熱運転を終えた後の冷却用ファンの運転中に、扉を閉じると同時に家電器具への通電を遮断すると、冷却用ファンの運転も即時停止し、家電器具内の廃熱冷却が行われず、電気器具の電気部品にダメージを与える等の重大な弊害をもたらすものとなる。また、収納部内の廃熱冷却にも時間がかかり、周囲の収納部品への熱影響が大きく、電気器具収納庫全体の使い勝手がきわめて劣るものである。
【特許文献１】特開２００８−３５２号公報
【発明の開示】
【発明が解決しようとする課題】
【０００８】
本発明は上記の従来の問題点に鑑みて発明したものであって、家電器具の使用中に扉を閉じた際における安全性を確保しながら、家電器具の電子部品の劣化や損傷を回避し、また、収納庫内の温度が常温に戻る時間を短縮できる家電器具収納庫を提供することを課題とするものである。
【課題を解決するための手段】
【０００９】
本発明に係る家電器具収納庫は、家電器具１を収納する収納部２と、該収納部２を開閉する扉３と、家電器具１に電力を供給する給電部４と、家電器具１への通電を開閉する通電開閉手段５を備えている。そして、本発明の特徴は、通電開閉手段５による家電器具１への通電の開閉が、扉３を閉じた時、家電器具１への通電を維持するか、若しくは扉３を閉じた時点から遅延させて家電器具１への通電遮断をおこなうことにある。
【００１０】
このような構成とすることで、家電器具１の加熱運転中に扉３を閉じた直後に扉３を開けても、扉３を閉じた直後は家電器具１への通電が遮断されていないので、高電力での加熱運転中におけるに強制停止と、加熱運転開始を短時間に繰り返すことがなく、短時間における大電流の入り切りが行われることによる突入電流の発生や、ハンチングの発生を回避できる。しかも、扉３の閉じた時点から遅延して家電器具１への通電遮断が行われるので、家電器具１の使用中に扉３を閉じた際の安全性を確保できる。
【００１１】
また、扉３を閉成した状態で、収納部２内の空気が外部と連通する通気構造を備えていることが好ましい。
【００１２】
このような構成とすることで、扉３が閉じた時点から遅延して家電器具１への通電遮断を行っても、扉３を閉じた状態でも放熱を十分に行うことができる。
【００１３】
また、家電器具１の運転状態を検出するか、若しくは収納部２内の温度を検出するか、もしくは前記両方を検出判断する使用状態検出手段６を設け、該使用状態検出手段６による検出結果に基づいて、前述の遅延して行われる家電器具１への通電遮断のタイミングが決められることが好ましい。
【００１４】
このように構成することで、家電器具１の使用状態若しくは収納部２内の温度状態に応じた最も好ましい通電遮断のタイミングを決めることができる。
【００１５】
また、使用状態検出手段６が家電器具１の運転電流を検出するものであることが好ましい。
【００１６】
このような構成とすることで、家電器具１に供給する電流（電力）を検出することで、簡単且つ確実に家電器具１の運転状態を検出して家電器具１の運転状態に応じた最も好ましい通電遮断のタイミングを決めることができる。
【００１７】
また、使用状態検出手段６が収納部２内の雰囲気温度若しくは家電器具１の温度を検出するものであることが好ましい。
【００１８】
このような構成とすることで、温度を検出することで、簡単且つ確実に家電器具１の運転状態を検出して家電器具１の運転状態に応じた最も好ましい通電遮断のタイミングを決めることができる。
【００１９】
また、家電器具１の運転状態と相関した電流値が、高低微もしくは高低零あるいは高零であることを判別し、高以外の運転状態である場合に、扉３を閉成した際に、前記の熱運転状態を継続させるように前記遅延時間が決定されることが好ましい。
【００２０】
このような構成とすることで、扉３を閉じた際に家電器具１が高以外の運転状態であれば、高以外の運転状態を継続し、家電器具１の温度を低下させることができる。
【００２１】
また、収納部２の排気をするための排気ファン８を設け、扉３を閉じた時点における収納部２内の温度が所定温度を超えている際に、収納部２内の温度が所定温度になるまで排気ファン８を運転することが好ましい。
【００２２】
このような構成とすることで、扉３を閉じた時点における収納部２内の温度が所定温度を超えている際は、排気ファン８を運転して素早く収納部２内の温度を所定温度以下とすることができる。
【００２３】
また、扉３を閉成後、家電器具１への通電遮断をした時点で、通電遮断を報知することが好ましい。
【００２４】
このような構成とすることで、通電遮断により扉３を開けた時点で”電気器具１が使えない”状態であることを報知できる。
【００２５】
また、扉３を閉成後に給電部４の通電を遮断した場合に、再び扉３を開けた時点で、通電遮断状態を報知することが好ましい。
【００２６】
このような構成とすることで、扉３を開けて、家電器具１を使用再開する場合に、通電復帰を促すとともに、直前までの通電遮断による調理中断失敗等に対する注意喚起としての報知ができる。
【発明の効果】
【００２７】
本発明は、上記のように、通電開閉手段による家電器具への通電の開閉が、扉を閉じた時、家電器具への通電を維持するか、若しくは扉を閉じた時点から遅延させて家電器具への通電遮断をおこなうので、家電器具の使用中に扉を閉じた際における安全性を確保しながら、短時間における大電流の入り切りが行われることによる突入電流の発生や、家電器具や家電器具収納庫の通電開閉手段の回路開閉手段においてハンチングを回避し、家電器具や家電器具収納庫の通電開閉手段の電気回路部品へのダメージを防ぎ、耐久性に優れ、しかも、家電器具の加熱運転時に、うっかり扉を閉め、直ちに扉を開け直した等の場合にも、通電遮断を遅延させることによって、加熱調理はそのまま継続され、調理の中断失敗がなく、使い勝手上、極めて好適である。
【００２８】
また、扉を閉成した状態で、収納部内の空気が外部と連通する通気構造を備えていることで、扉を閉じた状態でも放熱を十分に行うことができ、この結果、上記のように扉が閉じた時点から遅延して家電器具への通電遮断を行っても安全上支障がない。
【００２９】
また、家電器具の運転状態を検出するか、若しくは収納部内の温度を検出するか、もしくは前記両方を検出判断する使用状態検出手段を設け、該使用状態検出手段による検出結果に基づいて、前述の遅延して行われる家電器具への通電遮断のタイミングが決められるようにすることで、遅延して行われる家電器具の通電遮断のタイミングを、家電器具の使用状態や収納部内の温度に応じた最も好ましい時点とすることができる。
【００３０】
また、使用状態検出手段が家電器具の運転電流を検出するものであると、電流を検出することで簡単且つ確実に家電器具の運転状態に応じた最も好ましい通電遮断のタイミングを決めることができる。
【００３１】
また、使用状態検出手段が温度を検出するものであると、温度を検出することで、簡単且つ確実に家電器具の運転状態に応じた最も好ましい通電遮断のタイミングを決めることができる。
【００３２】
また、家電器具の運転状態と相関した電流値が、高低微もしくは高低零あるいは高零であることを判別し、高以外の運転状態である場合に、扉を閉成した際に、前記の運転状態を継続させるように前記遅延時間が決定されるものにおいては、扉を閉じた際に高以外の運転状態であれば、高以外の運転状態を継続して、家電器具の温度及び収納部内の温度を早く低下させることができ、より安全性を向上できると共に使い勝手も向上できる。
【００３３】
また、収納庫に排気ファンを設け、扉を閉じた時点における収納部内の温度が所定温度を超えている際に、収納部内の温度が所定温度になるまで排気ファンを運転するようにしたものにおいては、収納部内の温度を早く低下させることができ、使い勝手を向上することができる。
【００３４】
また、扉を閉成後、家電器具への通電遮断をした時点で、通電遮断を報知するようにしたものにおいては、通電遮断により扉を開けた時点で”電気器具１が使えない”状態であることを報知して、「停電中」であるにもかかわらず、調理作業に入ることを回避できる。
【００３５】
また、扉を閉成後に給電部の通電を遮断した場合に、再び扉を開けた時点で、通電遮断状態を報知するものにおいては、扉を開けて、家電器具を使用再開する場合に、通電復帰を促すとともに、直前までの通電遮断による調理中断失敗等に対する注意喚起としての報知ができ、より利便性が高く好適である。
【発明を実施するための最良の形態】
【００３６】
以下、本発明を添付図面に示す実施形態に基いて説明する。
【００３７】
図１には本発明の家電器具収納庫９の概略構成図を示し、図２には制御ブロック図を示している。
【００３８】
家電器具収納庫９には、家電器具１を収納する収納部２と、収納部２の一面に設けた開口部１５を開閉するための扉３と、該扉３の開閉を検知する開閉検知手段１１と、収納部２に収納する家電器具１に電力を供給するための給電部４（代表的なものとしてコンセント）と、収納部２内の排気をするための排気ファン８と、扉３を閉成した状態で、収納部２内の空気が外部と連通する吸気口１７と排気口１８とを備えた通気構造を有している。
【００３９】
また、家電器具収納庫９には更に、家電器具１の運転状態を検出するための使用状態検出手段６と、家電器具１への通電を遮断する通電開閉手段５と、制御部１４とが設けてある。
【００４０】
使用状態検出手段６は扉３を閉じた時点における家電器具１が複数の運転段階のうちのどの段階であるかを検出するためのものである。使用状態検出手段６としては、例えば、家電器具１に供給する電流（電力）を検出する通電電流（電力）検出手段１２や、収納部２内の温度を検出する温度検出手段１３があり、通電電流（電力）検出手段１２として通電電流（電力）検出手段１２と温度検出手段１３の両者を用いる場合と、通電電流（電力）検出手段１２又は温度検出手段１３のいずれか一方を用いる場合とがある。
【００４１】
上記通電電流（電力）検出手段１２は、例えば給電部４であるコンセントのコンセント回路で扉３開閉前後の電流（電力）を検知する。
【００４２】
収納部２に収納される家電器具１とは電子レンジやオーブントースター等の加熱機能を備えたものである。
【００４３】
上記家電器具収納庫９は、家電器具１の使用に当たって、扉３を開いて家電器具１に通電して家電器具１を使用する。また、家電器具１の非使用時には扉３を閉じて、家電器具１が外部に露出しないようにしている。
【００４４】
ここで、本発明においては、扉３を閉じた時、家電器具１の運転状態により家電器具１への通電を維持するか、若しくは、家電器具１への通電遮断を扉３が閉じた時点から遅延して行われるように、通電開閉手段５を制御部１４により制御するようになっている。
【００４５】
このようにして行われる通電開閉手段５による家電器具１への通電の開閉制御は使用状態検出手段６による家電器具１の運転状態の検出結果により決定される。
【００４６】
図３乃至図６には具体的制御例の一実施形態が示してある。本実施形態においては、冷却用ファン７を備えた家電器具１が、加熱運転状態、保温／冷却状態、待機状態、切・停電状態を有している場合の例である。ここで、本実施形態においては、保温／冷却状態、待機状態はいずれも非加熱運転状態である。
【００４７】
本例においては、加熱運転状態の際の電力Ｗｈが例えは１０００Ｗ、保温／冷却状態の際の電力Ｗｍが例えば２０Ｗ、待機状態の電力Ｗｌが例えば２Ｗ、切・停電状態の際の電力Ｗｏが０Ｗの場合である。
【００４８】
つまり、本例においては、家電器具１の運転状態と相関した電流値が、加熱運転状態では「高」、保温／冷却状態では「低」、待機状態では「微」、切・停電状態では「零」である。
【００４９】
図４には、家電器具１に通電して１０００Ｗで加熱運転状態中に扉３を閉じた場合のタイムチャートが示してある。
【００５０】
また、図５には家電器具１に通電して１０００Ｗの運転が終り、続いて冷却用ファン７を運転している冷却運転状態中に扉３を閉じた場合のタイムチャートが示してある。
【００５１】
また、図６には冷却用ファン７の運転が終り、続いて待機状態となっている場合のタイムチャートが示してある。
【００５２】
また、図３には本実施形態の基本制御の制御フロー図が示してある。
【００５３】
本実施形態において、扉３を閉じると、開閉検知手段１１で扉３の閉を検出し、該扉３の閉の検出信号が制御部１４に入力される。扉３が閉じたことが検出されると、扉３を閉じた直前又は扉３を閉じた時点における家電器具１に供給する電流（電力）を通電電流（電力）検出手段１２により検出し、通電電流（電力）検出手段１２で検出した電流（電力）により、扉３を閉じた時点における家電器具１の運転状態が複数段階のどの段階かを求める（本例実施形態では、加熱運転状態、保温／冷却状態、待機状態、切・停電状態の各状態のいずれであるかを求める）。
【００５４】
扉３を閉じた時点における家電器具１の運転状態が加熱運転状態であると検出されると、図４のタイムチャートのように扉３を閉じた時点からｔ１だけ遅延させて給電部４から家電器具１への通電を通電開閉手段５で強制的に遮断する。
【００５５】
このように、家電器具１の加熱運転状態時に扉３を閉じた際に家電器具１への通電遮断が扉３を閉じた時点から遅延して行われるように制御することで、家電器具１の加熱運転状態中に扉３を閉じた直後に、扉３を開けても、上記のように扉３を閉じた直後は家電器具１への通電が遮断されていないので、高電力での加熱運転中におけるに強制停止と、加熱運転開始を短時間に繰り返すことがなく、家電器具１の電子部品にストレスがかかるのを回避することができることになる。
【００５６】
この場合、上記扉３を閉じた時点からｔ１経過する間は温度監視期間となっていて、温度検出手段１３で収納部２内の温度が安全温度である所定温度（例えば、収納部２内の温度Ｔｏである温度４０℃）まで急低下した場合は、上記家電器具１への通電の遮断を行わないで通電を維持して待機状態を維持する。
【００５７】
また、扉３を閉じた時点における家電器具１の運転状態が加熱運転状態であると、温度検出手段１３で検出した収納部２内の温度が高くて安全温度である所定温度（例えば、待機状態における収納部２内の温度Ｔｏである４０℃）を超えている（この場合、家電器具１の温度も高い）ので、図４に示すように、扉３を閉じると同時に排気ファン８の運転を開始して排気口１８から収納部２内の熱気を排気すると共に吸気口１７から外部の空気を収納部２内に吸込み、収納部２内の温度が安全温度である所定温度（例えば、待機状態における収納部２内の温度Ｔｏである４０℃）以下となると排気ファン８の運転を停止する。
【００５８】
このように、排気ファン８を運転することで、素早く収納部２内の温度を安全温度である所定温度以下とすることができる。
【００５９】
なお、図４に示すタイムチャートで破線は排気ファン８がない場合の例を示している。このように排気ファン８がない場合は、通電遮断以降も家電器具１や収納部２の温度低下が極めて緩やかであり、高温による不安全不具合が長く継続するため好ましくない。
【００６０】
また、通電電流（電力）検出手段１２で検出した電流（電力）により、扉３を閉じた時点における家電器具１の運転状態が保温／冷却状態である場合（例えば、実施形態では冷却用ファン７を運転している場合）は、冷却用ファン７を運転している冷却運転であると検出され、図５のタイムチャートのように扉３を閉じた時点から遅延させて給電部４から家電器具１への通電を通電開閉手段５で強制的に遮断する。
【００６１】
この場合における給電部４から家電器具１への通電遮断のタイミングは、温度検出手段１３で検出した収納部２内の温度が安全温度である所定温度（例えば、待機状態における収納部２内の温度Ｔｏである４０℃）となった時点、又は、所定温度以下の任意の温度となった時点である。
【００６２】
図５においては、扉３を閉じた時点における収納部２内の温度が安全温度である所定温度（例えば、待機状態における収納部２内の温度Ｔｏである４０℃）以上であるため、扉３を閉じると同時に排気ファン８の運転を開始して収納部２内の熱気を排気し、収納部２内の温度が安全温度である所定温度（例えば、待機状態における収納部２内の温度Ｔｏである４０℃）以下となると排気ファン８の運転を停止する。
【００６３】
また、通電電流（電力）検出手段１２で検出した電流（電力）により、扉３を閉じた時点における家電器具１の運転状態が待機状態であると検出されると、図６のタイムチャートのように扉３を閉じた時点から所定時間ｔ２遅延させて給電部４から家電器具１への通電を通電開閉手段５で強制的に遮断する。
【００６４】
図６においては、扉３を閉じた時点における収納部２内の温度が安全温度である所定温度（例えば、待機状態における収納部２内の温度Ｔｏである４０℃）以下であるため、扉３を閉じても排気ファン８は運転しない。
【００６５】
また、図示は省略しているが、扉３を閉じた時に家電器具１の運転状態が切・停電の場合は、扉３を閉じた以降も通電遮断を継続するようになっている。
【００６６】
なお、上記実施形態においては、扉３を閉じた時、扉３を閉じた時点から遅延させて家電器具１への通電遮断をおこなうに制御部１４で制御した例を示したが、家電器具１の状態によっては扉を閉じた時家電器具１への通電を維持するようにしてもよい。
【００６７】
すなわち、図４のように、使用状態検出手段６により扉３を閉じた時点における家電器具１の運転状態が加熱運転状態であると検出された場合は、上記実施形態と同様に、扉３を閉じた時点からｔ１だけ遅延させて通電遮断する。
【００６８】
しかし、図５のように、扉３を閉じた時点における家電器具１の運転状態が冷却用ファン７を運転している冷却運転の場合は、上記実施形態のように、扉３閉後、収納部２内の温度が安全温度である所定温度以下となると通電遮断を行うもののみに限定されず、扉を閉じた時点から家電器具への通電遮断時間を∞とする、つまり、通電遮断をすることなく待機状態となったままの状態で小電流の通電を継続するようにしてもよい。
【００６９】
また、図６のように、扉３を閉じた時点における家電器具１の運転状態が待機状態であると検出された場合は、上記実施形態のように扉３の閉時点から所定時間ｔ２遅延させて通電遮断を行うもののみに限定されず、扉を閉じた時点から家電器具への通電遮断時間を∞とする、つまり、通電遮断をすることなく待機状態となったままの状態で小電流の通電を継続するようにしてもよい。
【００７０】
また、本発明の家電器具収納庫９にランプ又はブザー、あるいはこの両方よりなる報知手段１６を設け、扉３を閉成後、前述のように家電器具１への通電遮断をした時点で、制御部１４により報知手段１６で通電遮断を報知するように制御する。
【００７１】
すなわち、家電器具１への通電が遮断されたことを使用者に早く報知することにより、加熱調理の不完全失敗などへの注意喚起をすることができる。
【００７２】
また、扉３を閉成後、家電器具１への通電遮断後、再び扉３が開かれた時に、報知手段１６により、通電が遮断継続された状態であることを報知することができる。
【００７３】
これにより扉３を開けて、家電器具１を使用再開する場合に、通電復帰を促すとともに、直前までの通電遮断による調理中断失敗等に対する注意喚起としての報知ができ、より利便性が高く好適である。
【００７４】
また、上記実施形態においては、図５において通電遮断のタイミングが、温度検出手段１３で検出した収納部２内の温度が安全温度である所定温度（例えば、待機状態における収納部２内の温度Ｔｏである４０℃）となった時点、又は、所定温度以下の任意の温度となった時点としているが、通電遮断のタイミングが扉３を閉じて一定時間経過後の時点であってもよい。
【００７５】
また、上記実施形態においては、扉３を閉じた時点における家電器具１の運転状態を通電電流（電力）検出手段１２で検出した例を示したが、扉３を閉じた時点における収納部２内の温度を温度検出手段１３で検出することで、扉３を閉じた時点における家電器具１の運転状態を検出するようにしてもよい。例えば、収納部２内の温度が１００℃以上であれば加熱運転状態であると判断し、また、４０℃〜１００℃であれば非加熱運転である保温／冷却状態であるであると判断し、室温〜４０℃であれば待機であるとし、室温であると切・停電であると判定することもできる。
【００７６】
なお、図３乃至図６に示す実施形態においては、加熱運転状態、保温／冷却状態、待機状態、切・停電状態を持った家電器具１を収納する家電器具収納庫９に対して説明したが、本発明は、加熱運転状態、保温／冷却状態、切・停電状態をもった家電器具１、加熱運転状態、待機状態、切・停電状態をもった家電器具１、加熱運転状態、切・停電状態をもった家電器具にも適用できるものである。
【００７７】
なお、本実施形態では、発熱手段を備えた加熱調理家電器具を収納部１内に収納し、扉３を閉成する場合の安全保護手段としているが、ジューサーミキサーや電機掃除機や電気除湿機等の、回転や冷却手段を有した家電器具の収納時に、電源プラグがコンセントに差し込まれた状態で放置されても、一定時間もしくは、一定の運転状態の経過後に通電を全て遮断することができ、使用時の利便性を残しつつ安全な収納状態を提供でき、好適である。
【００７８】
いずれによっても、家電器具１の電流と収納状態の温度を監視することで、通常の家電器具運転をできる限り維持継続した後に、正規の器具停止させることで、より安全快適で且つ、家電器具１へのダメージの少ない家電器具収納庫を提供できる。
【図面の簡単な説明】
【００７９】
【図１】本発明の概略構成図である。
【図２】同上の制御ブロック図である。
【図３】同上の制御フロー図である。
【図４】同上の家電器具運転（加熱運転状態）中に扉を閉じた際の一例を示すタイムチャートである。
【図５】同上の家電器具運転（冷却状態）中に扉を閉じた際の一例を示すタイムチャートである。
【図６】同上の家電器具運転（待機状態）中に扉を閉じた際の一例を示すタイムチャートである。
【符号の説明】
【００８０】
１  家電器具
２  収納部
３  扉
４  給電部
５  通電開閉手段
６  使用状態検出手段
８  排気ファン
１６  報知手段
【図１】
2010075425.tif 000003
【図２】
2010075425.tif 000004
【図３】
2010075425.tif 000005
【図４】
2010075425.tif 000006
【図５】
2010075425.tif 000007
【図６】
2010075425.tif 000008